(57)【要約】【課題】ガイドワイヤへの取り付けや、ガイドワイヤに沿った移動を容易に行うことができるガイドワイヤ操作器具を提供することを課題とする。【解決手段】本実施形態のガイドワイヤ操作器具１０００は、患者の体内にカテーテル等を導入するために用いるガイドワイヤ７を操作するときにガイドワイヤ７に取り付ける操作器具であり、ガイドワイヤ７を摺動可能に収容する第１ワイヤ保持部１と第２ワイヤ保持部３、ガイドワイヤ７を挟持して固定するワイヤ固定部２、操作者が操作のために把持する回転操作部４、保持部開放用取っ手５、および、固定部開放用取っ手６を備える。【選択図】図１
2012135438.tif 000002
【特許請求の範囲】
【請求項１】
ガイドワイヤを操作するときに用いるガイドワイヤ操作器具であって、
前記ガイドワイヤを内部に受け入れるために開放が可能であり、開放していないときに前記ガイドワイヤをその延伸方向に摺動可能に収容する中空部を有する保持部材、および、
前記保持部材を開放可能に固着支持し、力が加えられて前記保持部材を開放するように変形した後、前記力が加えられなくなったときに応力で元の形に戻る第１応力発生部材、を備えるワイヤ保持部と、
前記第１応力発生部材に取り付けられ、前記ガイドワイヤを操作する操作者によって加えられた力を前記第１応力発生部材に伝達することにより前記保持部材を開放する保持部開放用取っ手と、
前記ガイドワイヤを内部に受け入れるために開放が可能であり、開放していないときに前記ガイドワイヤを挟持固定する固定部材、および、
前記固定部材を開放可能に固着支持し、力が加えられて前記固定部材を開放するように変形した後、前記力が加えられなくなったときに応力で元の形に戻る第２応力発生部材、を備えるワイヤ固定部と、
前記第２応力発生部材に取り付けられ、前記操作者によって加えられた力を前記第２応力発生部材に伝達することにより前記固定部材を開放する固定部開放用取っ手と、
を備えることを特徴とするガイドワイヤ操作器具。
【請求項２】
前記ガイドワイヤと軸方向が同一の略円筒形の形状であり、前記ガイドワイヤを受け入れるためのスリットを有し、前記操作者によって操作のために把持される本体と、
前記本体内に設置され、前記ガイドワイヤを摺動可能に収容するワイヤ収容部材と、
を有し、前記ワイヤ保持部および前記ワイヤ固定部のいずれかと接続された回転操作部をさらに備える
ことを特徴とする請求項１に記載のガイドワイヤ操作器具。
【請求項３】
前記ワイヤ収容部材、前記第１応力発生部材および前記第２応力発生部材は一体成型されている
ことを特徴とする請求項２に記載のガイドワイヤ操作器具。
【請求項４】
前記固定部開放用取っ手の可動範囲の途中に前記保持部開放用取っ手の一部が位置しており、前記操作者によって前記固定部開放用取っ手に力が加えられて前記固定部開放用取っ手が動くとき、
前記固定部開放用取っ手が前記保持部開放用取っ手に当接するまでは、前記固定部材が開放することにより、前記固定部材による前記ガイドワイヤの挟持固定が解除され、
前記固定部開放用取っ手が前記保持部開放用取っ手に当接してからは、前記固定部開放用取っ手と前記保持部開放用取っ手とが連動して動くことにより、前記固定部材と前記保持部材とがともに開放する
ことを特徴とする請求項１から請求項３のいずれか一項に記載のガイドワイヤ操作器具。
【請求項５】
前記ワイヤ保持部を２つ備え、
前記２つのワイヤ保持部の間に前記ワイヤ固定部が配置されている
ことを特徴とする請求項１から請求項４のいずれか一項に記載のガイドワイヤ操作器具。
【発明の詳細な説明】
【技術分野】
【０００１】
本発明は、患者の体内にカテーテル等を導入するために用いるガイドワイヤに取り付けるガイドワイヤ操作器具に関する。
【背景技術】
【０００２】
治療や診断等のために患者の体内（血管内など）にカテーテルを挿入するためには、まず、ガイドワイヤを体内に挿入し、その後、そのガイドワイヤをガイドとして体内にカテーテルを挿入する。そして、そのカテーテルを目的の部位まで挿入した後、治療や診断（例えば造影による診断）等の手技を行う。
【０００３】
ガイドワイヤを体内に挿入する過程で、操作者は、Ｘ線による透視画面等を見ながら、ガイドワイヤを手動操作で回転させたり、押したり、引いたりする必要がある。その際、特に、血管の分岐部分や細い血管などでは、細やかで正確な手動操作が必要となるが、ガイドワイヤは細いため、ガイドワイヤの操作器具が必要となる。
【０００４】
そのような操作器具として、例えば、直径が１ｃｍ、長さが３センチ程度の円筒状で、長さ方向に貫通孔を有する操作器具（以下、「貫通孔操作器具」と称する。）がある。なお、以下、ガイドワイヤに対して、カテーテルや貫通孔操作器具を、それらの孔にガイドワイヤを収容させながら移動させることを、「通す」と表現する。
【０００５】
ガイドワイヤに貫通孔操作器具を取り付ける場合、操作者は、ガイドワイヤの基端部（先端部と逆の端部）から貫通孔操作器具を通し、操作しやすい箇所まで移動させることで、ガイドワイヤに貫通孔操作器具を取り付けていた。
【０００６】
しかし、このようにして貫通孔操作器具を使用する場合、ガイドワイヤの基端部から操作箇所までの移動距離が長いと操作に時間がかかるという欠点がある。また、ガイドワイヤにカテーテルを通すためには、貫通孔操作器具をガイドワイヤの基端部から一度取り外し、ガイドワイヤにカテーテルを通した後に、もう一度、貫通孔操作器具をガイドワイヤの基端部から通して取り付けなければならず、操作が煩雑になるという欠点もある。
【０００７】
このような不都合を解消する技術として、例えば、特許文献１には、弾力性があってスリットの入った円筒状の本体と、スリットの間隔を広げるための取っ手とを有することで、ガイドワイヤに側面から取り付けることのできるガイドワイヤの操作器具が開示されている。
【先行技術文献】
【特許文献】
【０００８】
【特許文献１】特許第２７１６５０１号公報
【発明の概要】
【発明が解決しようとする課題】
【０００９】
しかしながら、特許文献１の技術では、体内へのガイドワイヤの挿入にともなって操作器具をガイドワイヤに沿って移動（スライド）させる場合に、操作器具がガイドワイヤから離脱する可能性があり、離脱すればまた取り付けの動作が必要になり、作業が煩雑になるという問題があった。
【００１０】
そこで、本発明は、このような問題に鑑みてなされたものであり、ガイドワイヤへの取り付けや、ガイドワイヤに沿った移動を容易に行うことができるガイドワイヤ操作器具を提供することを課題とする。
【課題を解決するための手段】
【００１１】
前記課題を解決するために、本発明は、ガイドワイヤを操作するときに用いるガイドワイヤ操作器具であって、前記ガイドワイヤを内部に受け入れるために開放が可能であり、開放していないときに前記ガイドワイヤをその延伸方向に摺動可能に収容する中空部を有する保持部材、および、前記保持部材を開放可能に固着支持し、力が加えられて前記保持部材を開放するように変形した後、前記力が加えられなくなったときに応力で元の形に戻る第１応力発生部材、を備えるワイヤ保持部と、前記第１応力発生部材に取り付けられ、前記ガイドワイヤを操作する操作者によって加えられた力を前記第１応力発生部材に伝達することにより前記保持部材を開放する保持部開放用取っ手と、前記ガイドワイヤを内部に受け入れるために開放が可能であり、開放していないときに前記ガイドワイヤを挟持固定する固定部材、および、前記固定部材を開放可能に固着支持し、力が加えられて前記固定部材を開放するように変形した後、前記力が加えられなくなったときに応力で元の形に戻る第２応力発生部材、を備えるワイヤ固定部と、前記第２応力発生部材に取り付けられ、前記操作者によって加えられた力を前記第２応力発生部材に伝達することにより前記固定部材を開放する固定部開放用取っ手と、を備えることを特徴とする。
【００１２】
これにより、操作者は、保持部開放用取っ手を用いて保持部材を開放し、固定部開放用取っ手を用いて固定部材を開放することで、ガイドワイヤに対してガイドワイヤ操作器具を側面から容易に取り付けることができる。また、ワイヤ保持部は保持部材が閉じていても中空部によってガイドワイヤをその延伸方向に摺動可能に収容しているので、操作者は、固定部開放用取っ手を用いて固定部材のみを開放することで、ガイドワイヤ操作器具を、ガイドワイヤから離脱することなく、ガイドワイヤに沿って容易に移動することができる。また、保持部材は、保持部開放用取っ手に加力があれば開放して、加力がなくなれば第１応力発生部材の応力によって自動的に閉じる。また、固定部材は、固定部開放用取っ手に加力があれば開放して、加力がなくなれば第２応力発生部材の応力によって自動的に閉じる。つまり、このような構造によりガイドワイヤ操作器具の利便性がより高まる。
【００１３】
また、本発明は、前記ガイドワイヤと軸方向が同一の略円筒形の形状であり、前記ガイドワイヤを受け入れるためのスリットを有し、前記操作者によって操作のために把持される本体と、前記本体内に設置され、前記ガイドワイヤを摺動可能に収容するワイヤ収容部材と、を有し、前記ワイヤ保持部および前記ワイヤ固定部のいずれかと接続された回転操作部をさらに備えることが好ましい。
【００１４】
これにより、操作者は、回転操作部を有するガイドワイヤ操作器具を用いることで、ガイドワイヤの操作をより容易に行うことができる。
【００１５】
また、本発明は、前記ワイヤ収容部材、前記第１応力発生部材および前記第２応力発生部材は一体成型されていることが好ましい。
【００１６】
これにより、製造がより容易で、製造コストがより低く、強度がより大きいガイドワイヤ操作器具を実現できる。
【００１７】
また、本発明は、前記固定部開放用取っ手の可動範囲の途中に前記保持部開放用取っ手の一部が位置しており、前記操作者によって前記固定部開放用取っ手に力が加えられて前記固定部開放用取っ手が動くとき、前記固定部開放用取っ手が前記保持部開放用取っ手に当接するまでは、前記固定部材が開放することにより、前記固定部材による前記ガイドワイヤの挟持固定が解除され、前記固定部開放用取っ手が前記保持部開放用取っ手に当接してからは、前記固定部開放用取っ手と前記保持部開放用取っ手とが連動して動くことにより、前記固定部材と前記保持部材とがともに開放することが好ましい。
【００１８】
これにより、操作者は、固定部開放用取っ手を把持して力を加えるだけで、固定部材だけでなく、保持部材も併せて開放することができる。
【００１９】
また、本発明は、前記ワイヤ保持部を２つ備え、前記２つのワイヤ保持部の間に前記ワイヤ固定部が配置されていることが好ましい。
【００２０】
これにより、操作者が固定部開放用取っ手を用いて固定部材のみを開放してガイドワイヤ操作器具をガイドワイヤに沿って移動させる場合に、ワイヤ固定部の両サイドに位置する２つのワイヤ保持部が未開放状態でガイドワイヤを摺動可能に保持していることで、ガイドワイヤの一部がガイドワイヤ操作器具から離脱する可能性をさらに低減することができる。
【発明の効果】
【００２１】
本発明によれば、ガイドワイヤへの取り付けや、ガイドワイヤに沿った移動を容易に行うことができるガイドワイヤ操作器具を提供することができる。
【図面の簡単な説明】
【００２２】
【図１】本実施形態のガイドワイヤ操作器具の斜視図である。
【図２】図１のＸ方向からガイドワイヤ操作器具を見た場合の側面図である。
【図３】（ａ）は図２のＡ−Ａ断面図（Ｃ−Ｃ断面図も同様）であり、（ｂ）は図２のＢ−Ｂ断面図であり、（ｃ）は図２のＤ−Ｄ断面図である。
【図４】（ａ）はガイドワイヤ操作器具についてワイヤ固定部だけ開放した場合の斜視図であり、（ｂ）はその場合のＡ−Ａ断面図（図３（ａ）のＡ−Ａ断面図に対応した断面図。以下同様）であり、（ｂ）はその場合のＢ−Ｂ断面図である。
【図５】（ａ）はガイドワイヤ操作器具についてワイヤ固定部に加えて第１ワイヤ保持部と第２ワイヤ保持部とを開放した場合の斜視図であり、（ｂ）はその場合のＡ−Ａ断面図であり、（ｃ）はその場合のＢ−Ｂ断面図である。
【図６】（ａ）は図５（ａ）のガイドワイヤ操作器具をガイドワイヤに取り付けた場合のＡ−Ａ断面図であり、（ｂ）はその場合のＢ−Ｂ断面図であり、（ｃ）はその場合のＤ−Ｄ断面図である。
【図７】ガイドワイヤに取り付けたガイドワイヤ操作器具を操作者が手動操作する様子を示す斜視図である。
【図８】（ａ）は操作者がワイヤ固定部だけ開放してガイドワイヤ操作器具をガイドワイヤに対して手動操作で摺動による移動をさせる様子を示す斜視図であり、（ｂ）はその場合のＡ−Ａ断面図であり、（ｃ）はその場合のＢ−Ｂ断面図である。
【図９】変形例のガイドワイヤ操作器具の斜視図である。
【発明を実施するための形態】
【００２３】
以下、本発明を実施するための形態（以下、実施形態と称する。）について、図面を参照（言及図以外の図面も適宜参照）しながら説明する。なお、本実施形態では、ワイヤ保持部を２つ備えた例で説明する。また、説明で用いる方向については、図１に示した上下、前後、左右を基準とし、他図についてもそれに倣うものとする。
【００２４】
（構成）
まず、図１〜図３を参照し、ガイドワイヤ操作器具１０００の構成について説明する。図１に示すように、本実施形態のガイドワイヤ操作器具１０００は、患者の体内にカテーテル等を導入（挿入）するために用いるガイドワイヤ７（図５参照）に取り付けて、ガイドワイヤ７の操作を容易にするものであり、第１ワイヤ保持部１（ワイヤ保持部）、第２ワイヤ保持部３（ワイヤ保持部）、ワイヤ固定部２、回転操作部４、保持部開放用取っ手５、および、固定部開放用取っ手６を備えて構成される。
【００２５】
第１ワイヤ保持部１は、第１保持手段１１（保持部材）および第１応力発生部材１２から構成される。
図３（ａ）に示すように、第１保持手段１１は、断面が台形の形状で、左右方向の中心部分に前後および上下方向に切れ目が入れられており、また、下方に、ガイドワイヤ７をその延伸方向に摺動可能に収容（保持）する中空部１１１を有する。第１保持手段１１は、ガイドワイヤ７（図５参照）と接触するので、ガイドワイヤ７を傷つけない樹脂（合成樹脂または天然樹脂）などの素材で形成され、具体的には例えばＰＯＭ（polyoxymethylene）によって実現される。
【００２６】
第１応力発生部材１２は、内部に第１保持手段１１を収容する形状で、また、応力（変形した場合に元の形に戻ろうとする力）を発生する素材で形成され、具体的には例えばステンレスやアルミニウム合金によって実現される。なお、第１保持手段１１と第１応力発生部材１２の接触面には接着処理が施されている。つまり、第１応力発生部材１２は第１保持手段１１を、開放可能に固着支持する。
【００２７】
第２ワイヤ保持部３は、第２保持手段３１（保持部材）および第３応力発生部材３２から構成される。第２保持手段３１は第１保持手段１１と同様であり、第３応力発生部材３２は第１応力発生部材１２と同様であるので、詳細な説明を省略する。
【００２８】
図１に示すように、ワイヤ固定部２は、固定手段２１（固定部材）および第２応力発生部材２２から構成される。
図３（ｂ）に示すように、固定手段２１は、断面が台形の形状で、左右方向の中心部分に前後および上下方向に切れ目が入れられている。固定手段２１の素材は、第１保持手段１１の場合と同様である。
【００２９】
また、第２応力発生部材２２の形状と素材は、第１応力発生部材１２の場合と同様である。なお、固定手段２１と第２応力発生部材２２の接触面には接着処理が施されている。つまり、第２応力発生部材２２は固定手段２１を、開放可能に固着支持する。
【００３０】
図１に示すように、回転操作部４は、本体４１およびワイヤ収容部材４３から構成される。
図３（ｃ）に示すように、本体４１は、ガイドワイヤ７（図５参照）を操作する操作者によって把持される部位であり、例えば、硬質ゴムによって形成され、内部に受け入れるガイドワイヤ７と軸方向が同一の略円筒形の形状をしており、また、ガイドワイヤ７を通過させるためのスリット４２を有する。
【００３１】
ワイヤ収容部材４３は、断面が略「］」の形状でその開放部が上を向いており、本体４１におけるスリット４２の下方の中空部４２１に配置され、ガイドワイヤ７を摺動可能に収容する。なお、ワイヤ収容部材４３は、ガイドワイヤ７と接触するので、ガイドワイヤ７を傷つけない素材で形成されるべきであるが、後記するように固定手段２１のようにガイドワイヤ７を挟持するわけではないので、例えば、第１応力発生部材１２と同じくステンレスやアルミニウム合金によって形成されればよい。
【００３２】
なお、第１応力発生部材１２の底面部、第２応力発生部材２２の底面部、第３応力発生部材３２の底面部、および、ワイヤ収容部材４３は一体成型されている。これにより、ガイドワイヤ操作器具１０００の製造がより容易になり、製造コストがより低くなり、強度がより大きくなる。
【００３３】
また、第１保持手段１１、固定手段２１および第２保持手段３１の各切れ目は、それらの各手段がガイドワイヤ７（図５参照）をスムーズに受け入れることができるように、略同一平面上に位置している。また、第１保持手段１１の中空部１１１、第２保持手段３１の中空部（不図示）、および、本体４１の中空部４２１は、ガイドワイヤ７を無理なく（ガイドワイヤ７に不必要な力を与えることなく）保持するために、略同一直線上に位置している。
【００３４】
一対の保持部開放用取っ手５は、それぞれ、平面視（図１のＸ方向から見た場合。以下同様）で略「Ω」を上下逆にした形状（図２参照）で、側面視（図１の前後方向に見た場合。以下同様）で直線状の形状（図３（ａ）参照）であり、その両端の直線部分がそれぞれ第１応力発生部材１２および第３応力発生部材３２の上方部分に固着されている。
【００３５】
一対の固定部開放用取っ手６は、それぞれ、平面視で保持部開放用取っ手５よりも細くて縦長の略「Ω」を上下逆にした形状（図２参照）で、側面視で屈曲部６１において外側に屈曲した略「＜」の形状（図３（ｂ）参照）であり、その両端の直線部分が第２応力発生部材２２の上方部分に固着されている。なお、力を加えていない状態では、固定部開放用取っ手６と保持部開放用取っ手５は接触していない。
【００３６】
（動作）
次に、図４〜図８を参照して、ガイドワイヤ操作器具１０００の動作について説明する。
まず、図４（ａ）、（ｃ）に示すように、操作者（不図示）が片手の親指（不図示）と人差し指（不図示）で一対の固定部開放用取っ手６を挟持して力を加えると、ワイヤ固定部２の固定手段２１の上部の切れ目部分が開放する。このとき、図４（ｂ）に示すように、第１ワイヤ保持部１（および第２ワイヤ保持部３）の上部は開放していない。
【００３７】
その後、操作者が一対の固定部開放用取っ手６に対して力を加え続けると、図５（ａ）、（ｃ）に示すように、固定手段２１の上部の切れ目部分がさらに大きく開放する。また、このとき、図５（ａ）、（ｂ）に示すように、固定部開放用取っ手６の一部が保持部開放用取っ手５の一部に当接（図５（ａ）〜（ｃ）の当接点Ｐ参照）して押すことで、第１ワイヤ保持部１および第２ワイヤ保持部３の上部も開放する。つまり、固定部開放用取っ手６の可動範囲の途中に保持部開放用取っ手５の一部が位置していることで、途中まではワイヤ固定部２のみが単独で開放し、途中から固定部開放用取っ手６と保持部開放用取っ手５とが当接して連動することで第１ワイヤ保持部１と第２ワイヤ保持部３も開放することとなる。
【００３８】
この開放状態で、操作者は、ガイドワイヤ操作器具１０００をガイドワイヤ７の側に移動させることで、ガイドワイヤ７をガイドワイヤ操作器具１０００の内部に収容させる、つまり、ガイドワイヤ操作器具１０００をガイドワイヤ７に取り付けることができる。なお、本実施形態では、図５（ａ）に示すように、ガイドワイヤ７に対して、ガイドワイヤ操作器具１０００を、第１ワイヤ保持部１の側が先端部７１の方向となり、回転操作部４の側が基端部７２の方向となるように取り付けることとする。
【００３９】
そうすると、図６（ａ）に示すように、第１ワイヤ保持部１においては、第１保持手段１１の中空部１１１にガイドワイヤ７が摺動可能に収容される。第２ワイヤ保持部３についても同様である。
【００４０】
また、図６（ｂ）に示すように、ワイヤ固定部２においては、固定手段２１がガイドワイヤ７を挟持して固定する。
また、図６（ｃ）に示すように、回転操作部４においては、ワイヤ収容部材４３にガイドワイヤ７が摺動可能に収容される。
【００４１】
この状態で、図７に示すように、操作者は、例えば右手８の親指８１と人差し指８２で回転操作部４の本体４１を把持して右手８を前後に動かしたり、回転させたりすることで、ガイドワイヤ７を操作することができる。つまり、ワイヤ固定部２の固定手段２１によってガイドワイヤ７が挟持されて固定されていることで、回転操作部４を用いたガイドワイヤ操作器具１０００の操作の動きにガイドワイヤ７の動きが追従する。
【００４２】
次に、患者（不図示）の体内へガイドワイヤ７を挿入し続けるのにともなって、ガイドワイヤ７に対してガイドワイヤ操作器具１０００を移動（スライド）させる場合における、操作者の操作、および、そのときのガイドワイヤ操作器具１０００の動作について説明する。
【００４３】
図８（ａ）、（ｃ）に示すように、操作者（不図示）が例えば左手９の親指９１と人差し指９２で一対の固定部開放用取っ手６を挟持して力を加えると、ワイヤ固定部２における固定手段２１の上部の切れ目部分が開放する。このとき、図８（ｂ）に示すように、第１ワイヤ保持部１（および第２ワイヤ保持部３）の上部は開放していない。
【００４４】
つまり、この状態では、ガイドワイヤ７は、ワイヤ固定部２の固定手段２１による挟持固定から脱し（図８（ｃ）参照）、また、元々、第１ワイヤ保持部１、第２ワイヤ保持部３および回転操作部４によっては摺動可能に収容されている（図８（ｂ）参照）。
【００４５】
したがって、図８（ａ）に示すように、操作者は、一対の固定部開放用取っ手６を把持している左手９を前後方向に動かすことで、ガイドワイヤ７に対してガイドワイヤ操作器具１０００を移動（スライド）させることができる。その際、第１ワイヤ保持部１（および第２ワイヤ保持部３）が開放していない（図８（ｂ）参照）ので、ガイドワイヤ操作器具１０００がガイドワイヤ７から離脱することはない。
【００４６】
このように、本実施形態のガイドワイヤ操作器具１０００によれば、ガイドワイヤ７を摺動可能に収容する中空部１１１を有する第１ワイヤ保持部１と、第１ワイヤ保持部１と同様の第２ワイヤ保持部３と、第１ワイヤ保持部１および第２ワイヤ保持部３に取り付けられる保持部開放用取っ手５と、ガイドワイヤ７を挟持固定するワイヤ固定部２と、ワイヤ固定部２に取り付けられる固定部開放用取っ手６と、を備えることで、ガイドワイヤ７への側面からの取り付けや、ガイドワイヤ７に沿った移動を容易に行うことができる。
【００４７】
また、第１ワイヤ保持部１が中空部１１１を有する第１保持手段１１と第１応力発生部材１２とを備え、第２ワイヤ保持部３も同様であり、ワイヤ固定部２が固定手段２１と第２応力発生部材２２とを備えることで、第１ワイヤ保持部１、第２ワイヤ保持部３、ワイヤ固定部２は、保持部開放用取っ手５や固定部開放用取っ手６に対する加力があれば開放し、それらへの加力がなくなったときに開放部分が自動的に閉じる。つまり、ガイドワイヤ操作器具１０００の利便性がより高まる。
【００４８】
また、ガイドワイヤ操作器具１０００が、略円筒形の本体４１と、スリット４２と、ガイドワイヤ７を摺動可能に収容するワイヤ収容部材４３と、を有する回転操作部４をさらに備えることで、操作者は、回転操作部４を用いることで、ガイドワイヤ７の操作をより容易に行うことができる。
【００４９】
また、固定部開放用取っ手６の可動範囲の途中に保持部開放用取っ手５の一部が位置していることで、操作者によって固定部開放用取っ手６に力が加えられて固定部開放用取っ手６が動くとき、途中まではワイヤ固定部２が開放してガイドワイヤ７の挟持固定が解除され、途中からは、固定部開放用取っ手６と保持部開放用取っ手５が当接して連動して動くことで第１ワイヤ保持部１、第２ワイヤ保持部３、ワイヤ固定部２のすべてを開放できる。つまり、操作者は、固定部開放用取っ手６を把持して力を加えるだけで保持部開放用取っ手５の操作も併せて行うことができる。
【００５０】
また、第１ワイヤ保持部１と第２ワイヤ保持部３の間にワイヤ固定部２を配置したことで、操作者が固定部開放用取っ手６を用いてワイヤ固定部２のみを開放してガイドワイヤ操作器具１０００をガイドワイヤ７に沿って移動させる場合に、ワイヤ固定部２の両サイドに位置する第１ワイヤ保持部１と第２ワイヤ保持部３が未開放状態でガイドワイヤ７を摺動可能に保持していることで、ガイドワイヤ７の一部がガイドワイヤ操作器具１０００から離脱する可能性をさらに低減することができる。
【００５１】
（変形例）
次に、ガイドワイヤ操作器具１０００の変形例について説明する。図９に示すように、変形例のガイドワイヤ操作器具１０００ａ（１０００）は、図１のガイドワイヤ操作器具１０００と比較して、固定部開放用取っ手６ａ（６）の形状のみが異なっている。固定部開放用取っ手６ａは、平面視で略「Ｔ」の形状となっているほかは、固定部開放用取っ手６と同様である。
【００５２】
このように、変形例のガイドワイヤ操作器具１０００ａによれば、強度がさらに大きく、また、成型がより容易な固定部開放用取っ手６ａを実現することができる。
【００５３】
以上で本実施形態の説明を終えるが、本発明の態様はこれらに限定されるものではない。
例えば、第１ワイヤ保持部１と第２ワイヤ保持部３のいずれかを省略してもよい。
また、回転操作部４において、ワイヤ収容部材４３を省略してもよい。
【００５４】
また、回転操作部４を省略し、第１ワイヤ保持部１、第２ワイヤ保持部３およびワイヤ固定部２の少なくともいずれかの形状を略円筒状などの操作しやすい形状として、操作者がその部分を把持してガイドワイヤ操作器具１０００を操作するようにしてもよい。
【００５５】
また、第１応力発生部材１２、第２応力発生部材２２、第３応力発生部材３２の素材は、ステンレスやアルミニウム合金でなくても、応力を発生するものであれば、他の金属やプラスチックなどの他のものでもよい。
【００５６】
また、第１保持手段１１と第１応力発生部材１２は、１つの素材によって一体に成型されることで実現してもよい。第２保持手段３１と第３応力発生部材３２、固定手段２１と第２応力発生部材２２についても同様である。
【００５７】
また、第１応力発生部材１２の底面部、第２応力発生部材２２の底面部、第３応力発生部材３２の底面部、および、ワイヤ収容部材４３が一体成型されていなくても、各部材のうちの少なくとも１つが個別に成型され、その後に組み立てや接着などによって全体が形成されてもよい。
その他、各部や各手段の具体的な構成について、本発明の主旨を逸脱しない範囲で適宜変更が可能である。
【符号の説明】
【００５８】
１      第１ワイヤ保持部（ワイヤ保持部）
２      ワイヤ固定部
３      第２ワイヤ保持部（ワイヤ保持部）
４      回転操作部
５      保持部開放用取っ手
６，６ａ  固定部開放用取っ手
７      ガイドワイヤ
１１    第１保持手段（保持部材）
１２    第１応力発生部材
２１    固定手段（固定部材）
２２    第２応力発生部材
３１    第２保持手段（保持部材）
３２    第３応力発生部材
４１    本体
４２    スリット
４３    ワイヤ収容部材
１１１  中空部
４２１  中空部
１０００，１０００ａ  ガイドワイヤ操作器具
【図１】
2012135438.tif 000003
【図２】
2012135438.tif 000004
【図３】
2012135438.tif 000005
【図４】
2012135438.tif 000006
【図５】
2012135438.tif 000007
【図６】
2012135438.tif 000008
【図７】
2012135438.tif 000009
【図８】
2012135438.tif 000010
【図９】
2012135438.tif 000011